(57)【要約】この発明は、柔らかい生地の筒を作るための下部面（１A）と上部面（１B）からなる羽布団保護カバー（１）に関する。発明のカバーは、常時部分的に閉鎖した縁（２A）と、即時開閉手段（３、４、５A、5B）を備えた３つの縁（２B、２C、２D）を含むモノブロック型の筒であって、筒の上記両面（１A、１B）を部分的に切り離すことができ、筒の上記両面（１A、１B）の片面（１A）に羽布団を置き、上記羽布団をもう一方の面（１B）で覆うと共に上記即時開閉手段（３）により、この両面（１A、１B）の少なくとも２つの縁（２B、２D）の接合を行うことを特徴とする。
2005528944.tif 000002
【特許請求の範囲】
【請求項１】
常時部分的に閉鎖した縁（２A）と、即時開閉手段（３、４、５A、5B）を備えた３つの縁（２B、２C、２D）を含むモノブロック筒型の柔らかい生地の筒を作るための、下部面（１A）と上部面（１B）からなる羽布団保護カバー（１）であって、筒の上記両面（１A、１B）を部分的に切り離すことができ、筒の上記両面（１A、１B）の片面（１A）に羽布団を置き、上記羽布団をもう一方の面（１B）で覆うと共に上記即時開閉手段（３、４、５A、５B）により、この両面（１A、１B）の３つの縁（２B、２C、２D）の接合を行い、
カバー上部面（１B）は、上記上部面（１B）の開閉可能な足側縁（２C）に並置する角２つに三角袋部（５B）を備え、この袋部（５B）はカバー下部面（１A）の開閉可能な足側縁（２C）及びこの袋部（５B）を含む上記即時開閉手段（３、４、５A、５B）に並置する角を入れる折り返しであり、部分的にも開閉可能な上記両面（１A、１B）のカバー足側縁（２C）を閉じることを特徴とする、前記羽布団保護カバー（１）。
【請求項２】
カバー（１）の各面（１A、１B）は、羽布団が入った羽布団カバーを固定するためにマットレス下に折り込める折り返し（４）一つがカバー（１）の開閉可能足側縁（２C）上に備わっていることを特徴とする、請求項１に記載の羽布団保護カバー（１）。
【請求項３】
カバー（１）はリバーシブルであり、カバー各面（１A、１B）はカバー（１）開閉可能足側縁（２C）に並置する角２つに三角袋部（５A、５B）を一つ備えていることを特徴とする、請求項２に記載の羽布団保護カバー（１）。
【請求項４】
カバー（１）の一面（１A、１B）に接合した袋部（５A、５B）が、カバー（１）のもう一面を構成する素材で作られていることを特徴とする、請求項１から３のいずれか一項に記載の羽布団保護カバー（１）。
【請求項５】
各袋部（５A、５B）はカバー（１）の片面（１A、１B）の三角ピースからなり、上記ピースの一辺はカバーの上記面の開閉可能足側縁（２C）に縫い付けられ、上記ピースのもう一辺は、上記面の側縁（２B、２D）に接合し、即時開閉部（３）と上記面壁との間に挿入されて上記開閉部（３）の機能を妨げないことを特徴とする、請求項１から４のいずれか一項に記載の羽布団保護カバー（１）。
【請求項６】
上記カバー（１）頭側部であるカバー（１）の縁（２A）が常時閉まっていることを特徴とする、請求項１から５のいずれか一項に記載の羽布団保護カバー（１）。
【請求項７】
カバーの頭側縁（２A）及び開閉可能足側縁（２C）を結ぶカバー（１）の側縁（２B、２D）は、上記面（１A、１B）の接合状態の筒上面に被さる折り返し一つで隠されたチャック式の開閉部（３）を備えることを特徴とする、請求項１から６のいずれか一項に記載の羽布団保護カバー（１）。
【請求項８】
カバーの片面（１A、１B）は、カバーの開閉可能足側縁（２C）に並置する角２つの内側に羽布団足側縁の入部となる予備袋一つを備えることを特徴とする、請求項１から７のいずれか一項に記載の羽布団保護カバー（１）。
【請求項９】
カバー上部面又は下部面に、補助自動着脱タイプの開閉手段取り付けを見越したスペースが内側にあり、この開閉部は、羽布団上の予備開閉部と補充しあうように配置されていることを特徴とする、請求項１から８のいずれか一項  に記載の羽布団保護カバー（１）。
【発明の詳細な説明】
【技術分野】
【０００１】
本発明は、柔らかい布で筒(enveloppe)を形成するための、下面と上面一つずつからなるタイプの羽布団保護カバーに関する。
【背景技術】
【０００２】
従来、上記定義に対応する大部分の羽布団カバーは、羽布団を清潔に保つために使用されている。カバーの交換により、使用者は羽布団の布、模様や色といった外観を自在に変えることができる。現在一般に使われているこれらカバーは、羽布団を中に入れるために片側が開いた、平行六面体の布袋の形状をしている。開いている側は、ボタン、スナップボタンやその他で閉まるようになっていることもある。
【発明の開示】
【発明が解決しようとする課題】
【０００３】
これらカバーのほとんどは、このようなカバーを使っての羽布団の詰め入れ作業が面倒である。羽布団をカバーに入れるのに、比較的狭く開いた端から入れ、カバーの四隅に合わせ、なるべく平らな表面を作らなければならない。この方法では、羽布団を綺麗に収めるのが難しく、時間の無駄でしかも精神的にも苦痛である。カバーの寸法が大きいだけに尚更重要な問題となる。
【０００４】
この問題に対処するため、様々な解決方法が考えられる。第一の解決法は、カバー上部表面に特許FR-A-2,779,358、GB-A-2.303062及びDE-A-2.829.873に特に記されているように、中央に開部を設けることである。このようなカバーは、カバーの角に手が届きにくく、カバーの角と合致するように羽布団の角を正しく合わせるために時間がかかる。このような作業は同時に、身体的努力も要する。
【０００５】
もう一つの手段は、一方が蓋の形をした独立部からなる羽布団カバーであり、着脱可能な二つの部分が、接続されるものである。この方法は、FR-A-2.649.877文献で特に例証されている。時間のロスは、蓋部分と受け部分の位置決め見当合わせにより、解決できる。スナップボタン式は、端部分、特に長さ部分の縁についてしわが寄ってしまい、全体の美観に影響する。チャック式開閉であれば、全体を閉じるのに毎回四辺のチャックを合わせることが必要になる。このような羽布団カバーは、収納の際かさばることが判っている。
【０００６】
本発明の目的の一つは、楽に扱える羽布団カバーを提供するものであり、本羽布団カバー上下部の面は全体の容積を保ちながら手軽に素早く部分的に切り離したり、接合させたりできる。
【０００７】
本発明のもう一つの目的として、従来のカバーに比べ外見上変りのない羽布団カバーを提供することがある。
【０００８】
本発明のその他の目的として、リバーシブルに考案された羽布団カバーを提供することがある。
【課題を解決するための手段】
【０００９】
以上から、本発明は、その請求項１において、柔らかい生地の筒を作るための下部面と上部面からなる羽布団保護カバーに関し、常時部分的に閉鎖した縁と、即時開閉手段を備えた３つの縁を含むモノブロック型の筒であって、筒の上記両面を部分的に切り離すことができ、筒の上記両面の片面に羽布団を置き、上記羽布団をもう一方の面で覆うと共に上記即時開閉手段により、この両面の少なくとも２つの縁の接合を行うことを特徴とする。本発明の製作の特殊形態は、従属した請求項に明らかである。
【００１０】
この羽布団カバーは、モノブロックタイプの筒型で、上下部面は部分的にのみ切り離され、上記両面を全て切り離すことなく羽布団を楽に位置決めでき、扱う者の身体的労力を要さず羽布団をセットすることが容易である。
【発明を実施するための最良の形態】
【００１１】
この発明は次の別添図面にあるように、製作例による記載事項の解釈に含まれる。
【００１２】
上記に示したように、本発明の目的である、羽布団保護カバー１は、本質的に長方形又は正方形の筒を形作るように、柔らかい布で作られた下部面１A及び上部面１Bから成る。この筒は常時閉鎖している縁２Aと、素早い開閉ができる様式が備わった３つの縁２B、２C、２Dから成り、１A及び１B両面を部分的に切り離せることができ、図１が特に例証するように、１Aと１Bは双方の延長上に広がる。この状態で、羽布団をどちらか一方の面を置くだけで良い。カバーの下部面１A、そしてもう片方の面で羽布団を覆い、筒の上面１B、筒の縁２B、２C、２Dを少なくとも部分的に閉める。表された例では、カバー１の常時閉鎖されている縁は、上記カバー１の頭側縁２Aである。カバー１の両面１A及び１Bには、カバー１頭側縁２Aと逆側に足側縁２Cがあり、羽布団の入ったカバーを固定するため、マットレス下に折込める折り返し４がある。この折り返し４は、カバー１の縁２Cを部分的に閉めることのできる即時閉鎖様式でもある。カバー上面１Bは、上記面１B足側縁２Cに並置する角の二つに、全体に三角形の袋部５Bが備わっている。この袋部は、上記１A及び１Bのカバーの下面１Aの足側縁２Cに並置する角を入れるための折り返しを形成する。折り返し４及び袋部５Bは、カバー足側縁２Cの素早い開閉手段である。
【００１３】
紹介されている例では、カバー1はリバーシブルである。カバーの各面１A及び１Bは、カバー１足側縁2Cに並置する角の二つに、三角形の袋部５A及び５Bを持ち、その役割はカバーの１A及び１Bの足側縁２Cを部分的に閉めることである。カバーの１A及び１Bの面が異なる布地で製作される場合、カバー１の１Aか１Bの面と合体している袋部５A及び５Bは、カバー１の片方の面を成す素材で作られる。図面が示すように、各袋５Aと５Bは、カバー１の１Aと１Bの片面に縫い付けられた三角形のピースである。このピースの1辺が上部面の足側縁２Cと合体しており、カバーの本面の内側面に固定されている。上記ピースのもう一辺は、上記面の側縁２B及び２Dと合体し、即時開閉部３と面内側面に挿入され、上記開閉部３の機能を妨げないようになっている。紹介されている例では、カバーの頭側縁２A及び足側縁２Cをつなぐカバー１の側縁２Bと２Dに、１A及び１Bが組み立てられた状態の筒上部面を覆う少なくとも１つの折り返し部で隠されるチャック式の開閉部３が付いている。リバーシブルの羽布団カバーでは、筒下面１Aのチャック式開閉部は、下部面の折り返し部上に位置している。この折り返し部は開閉部３を隠すためのものである。筒の上部又は下部面は、チャック式開閉部が接合した折込部又は裏返し部がついている。各チャック式開閉部は筒の片面の縁２B、２Dの折り返しの上に、縫いこまれている。接合部の縫い止めは、当該面の折り返しがチャック式開閉部全部を隠せるよう、折り返しのラインすぐ脇になされることが望ましい。この折込部は、図面には記されていない垂れぶたが付いていることもある。この垂れぶたは、チャック式開閉部を閉める際に、カバーを巻き込まないためのものである。
【００１４】
特に図３が示すように、面の一つ、ここではカバー下面部１Aであるが、カバー足側縁２Cに並置する角２つに、カバー縁２B、２C、２Dを合わせる前に羽布団足側縁の入れ込み空間に使える三角形の予備袋部６を付けられる。この袋部６は、一面の内側に縫い付けられた三角形のピースである。このピースの一辺が、チャック式開閉部のある片面の縁２B又は２Dと接合し、ピースのもう一辺はカバー足側縁２Cに接合している。ピースの頂点は、縁２Bと２D又は２Bと２Cが形作る角の頂点と合う。この袋部６は、袋部５Aや５Bより概して大きく、図３が示すように、５A又は５Bの袋及び面１A又は１Bとの間に広がる。
【００１５】
カバーの上部面又は下部面は、補助自動着脱部分取り付けを見越したスペースを内側に備えることもできる（図には示されていない）。この開閉部分は、羽布団上に位置する開閉部分と補充しあうよう配置される。
【００１６】
このような羽布団カバーの機能は次に示される；チャック式開閉部３が開き、羽布団カバーの面１A及び１Bが切り離され、図1で示される位置に広がる。羽布団カバー下部面１Aが、ベットの上に置かれる。そして羽布団が上記面に平らに置かれる。予備三角袋部６がある場合は、この羽布団の角は、上記袋部内側に入れられ、上記面１Aの上で羽布団位置維持を助ける。面１Bは、面１Aに沿って広がるように羽布団上に覆いかぶされる。羽布団カバー面１Bを備える三角袋部５Bは、面１B外側に広がるように裏返される。チャック式開閉部３は、縁２C付近まで閉められ、三角袋部５Bは図２が示すように面１A外側に位置するように戻される。カバー下面の１Aの角は、カバー縁２Cを即時開閉部分を成す袋部５B内側に入れられる。三角袋部５Aが筒下側面１A上にある場合は、袋部５Aはチャック式開閉部３を閉める前に、下側面１A外側に広がるように折り返される。こうして袋部５Bで覆われ、完全に隠される。折り返し４は、カバー縁２C中央ゾーンを完全に閉めるためマットレス下に折り返される。羽布団カバーがリバーシブルである場合は、面１Aや１Bがそれぞれ上部面又は下部面を成す。各面は、カバー足側縁２Cと並置する角に三角袋部５Aと５Bを備える。面１Bがカバー下部面であるとき、袋部５Aにカバー足側縁２Cに並置する面１Bの角を収める。この袋部５Aは、予め返しておいた袋部５Bの層１Bの外側面を被うことになる。このことから、カバー面１Aと接合した袋部５Aは、カバー面１Bを構成する素材で作られ、逆に、カバー面１Bと接合した袋部５Bは、カバー面１Aを構成する素材で作られる。これら袋部５A、５Bは、上記面が結合したとき、模様の継続性を保つ。折り返し４と袋部５A又は５Bは、カバー縁２Cの即時開閉手段となる。このカバーは、カバー内部に羽布団を素早く設置できるカバーの様態をなしている。
【図面の簡単な説明】
【００１７】
【図１】図１はカバーの筒を成す面を切り離した状態の、本発明に従った羽布団保護カバーを下から見た図である。
【図２】図２は、上記両面が結合した状態の羽布団保護カバーの下部面の下から部分的に図解である。
【図３】図３は、羽布団保護カバーの接合していない下部面の下から見た図である。
【図１】
2005528944.tif 000003
【図２】
2005528944.tif 000004
【図３】
2005528944.tif 000005
【国際調査報告】
2005528944.tif 000006
2005528944.tif 000007
2005528944.tif 000008
2005528944.tif 000009